【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
所定の文字と、他の文字とを対応付けて管理する管理手段と、
文字を記入する記入枠を備えた文書媒体をデータ化した画像データから、前記記入枠にユーザにより記入された文字を読み取る読取手段と、
前記読取手段で読み取られた文字が所定の文字であり、かつ、当該読み取られた前記所定の文字が前記記入枠と所定の位置で重なっているかを判定する判定手段と、
前記判定手段により、前記読取手段で読み取られた文字が前記所定の文字であり、かつ、当該読み取られた前記所定の文字が前記記入枠と所定の位置で重なっていると判定されたことに応じて、前記読取手段により読み取られた前記所定の文字を、前記所定の文字に対応付けて前記管理手段により管理されている前記他の文字に置き換えると決定する決定手段と
を備えることを特徴とする情報処理装置。
【請求項２】
前記読取手段により読み取られた文字を出力する出力手段を備え、
前記出力手段は、前記決定手段で決定された前記他の文字に置き換えて出力することを特徴とする請求項１に記載の情報処理装置。
【請求項３】
前記画像データに含まれる前記記入枠を除去する除去手段を備え、
前記読取手段は、前記除去手段により前記記入枠を除去した前記画像データから、前記記入枠に前記ユーザにより記入された文字を再度読み取り、
前記決定手段は、前記判定手段により、前記読取手段で読み取られた文字が前記所定の文字であり、かつ、当該読み取られた前記所定の文字が前記記入枠と所定の位置で重なっていると判定された後、前記除去手段により記入枠を除去した前記画像データから前記読取手段により前記所定の文字を再度読み取ることで得られる文字であって、前記所定の文字に対応付けて前記管理手段により管理されている前記他の文字に置き換えると決定すること
を特徴とする請求項１または２に記載の情報処理装置。
【請求項４】
前記所定の文字とは、１、５、７であり、前記所定の文字が１の場合、前記他の文字は、７であり、前記所定の文字が５の場合、前記他の文字は６であり、前記所定の文字が７の場合、前記他の文字は、０または２であることを特徴とする請求項１乃至３のいずれか１項に記載の情報処理装置。
【請求項５】
前記所定の文字が１の場合、前記所定の位置は前記記入枠の上部であり、前記所定の文字が５の場合、前記所定の位置は前記記入枠の左側部であり、前記所定の文字が７の場合、前記所定の位置は、前記記入枠の左側部または前記記入枠の下部であることを特徴とする請求項４に記載の情報処理装置。
【請求項６】
前記所定の文字が７の場合であって、前記所定の位置が前記記入枠の左側部である場合、前記他の文字は０であり、前記所定の文字が７の場合であって、前記所定の位置が前記記入枠の下部である場合、前記他の文字は２であることを特徴とする請求項５に記載の情報処理装置。
【請求項７】
前記画像データから、前記ユーザにより記入された文字の濃度と、前記記入枠の濃度とを取得する取得手段と、
前記取得手段で取得した前記ユーザにより記入された文字の濃度と、前記記入枠の濃度との濃度差に基づいて、前記画像データを二値化し、前記文字のみを黒画素にするための閾値を決定する閾値決定手段と
を備え、
前記除去手段は、前記閾値決定手段で決定された閾値を用いて、前記画像データを二値化して前記文字のみの黒画素とすることで、前記記入枠を除去することを特徴とする請求項３乃至６のいずれか１項に記載の情報処理装置。
【請求項８】
所定の文字と、他の文字とを対応付けて管理する管理手段を備える情報処理装置の制御方法であって、
前記情報処理装置の読取手段が、文字を記入する記入枠を備えた文書媒体をデータ化した画像データから、前記記入枠にユーザにより記入された文字を読み取る読取工程と、
前記情報処理装置の判定手段が、前記読取工程で読み取られた文字が所定の文字であり、かつ、当該読み取られた前記所定の文字が前記記入枠と所定の位置で重なっているかを判定する判定工程と、
前記情報処理装置の決定手段が、前記判定工程で、前記読取工程で読み取られた文字が前記所定の文字であり、かつ、当該読み取られた前記所定の文字が前記記入枠と所定の位置で重なっていると判定されたことに応じて、前記読取工程で読み取られた前記所定の文字を、前記所定の文字に対応付けて前記管理手段により管理されている前記他の文字に置き換えると決定する決定工程と
を備えることを特徴とする情報処理装置の制御方法。
【請求項９】
所定の文字と、他の文字とを対応付けて管理する管理手段を備える情報処理装置で読み取り実行可能なプログラムであって、
前記情報処理装置を、
文字を記入する記入枠を備えた文書媒体をデータ化した画像データから、前記記入枠にユーザにより記入された文字を読み取る読取手段と、
前記読取手段で読み取られた文字が所定の文字であり、かつ、当該読み取られた前記所定の文字が前記記入枠と所定の位置で重なっているかを判定する判定手段と、
前記判定手段により、前記読取手段で読み取られた文字が前記所定の文字であり、かつ、当該読み取られた前記所定の文字が前記記入枠と所定の位置で重なっていると判定されたことに応じて、前記読取手段により読み取られた前記所定の文字を、前記所定の文字に対応付けて前記管理手段により管理されている前記他の文字に置き換えると決定する決定手段と
して機能させることを特徴とするプログラム。
【手続補正２】
【補正対象書類名】明細書
【補正対象項目名】０００１
【補正方法】変更
【補正の内容】
【０００１】
本発明は、情報処理装置、情報処理装置の制御方法、およびプログラムに関し、特に、ユーザにより記入された文字が記入枠に重なることに起因して発生する画像データから文字を読み取る際の文字の誤認識を、補正する精度を向上させることが可能な仕組みに関する。
【手続補正３】
【補正対象書類名】明細書
【補正対象項目名】０００８
【補正方法】変更
【補正の内容】
【０００８】
本発明は、ユーザにより記入された文字が記入枠に重なることに起因して発生する画像データから文字を読み取る際の文字の誤認識を、補正する精度を向上させることが可能な仕組みを提供することを目的とする。
【手続補正４】
【補正対象書類名】明細書
【補正対象項目名】０００９
【補正方法】変更
【補正の内容】
【０００９】
本発明は、所定の文字と、他の文字とを対応付けて管理する管理手段と、文字を記入する記入枠を備えた文書媒体をデータ化した画像データから、前記記入枠にユーザにより記入された文字を読み取る読取手段と、前記読取手段で読み取られた文字が所定の文字であり、かつ、当該読み取られた前記所定の文字が前記記入枠と所定の位置で重なっているかを判定する判定手段と、前記判定手段により、前記読取手段で読み取られた文字が前記所定の文字であり、かつ、当該読み取られた前記所定の文字が前記記入枠と所定の位置で重なっていると判定されたことに応じて、前記読取手段により読み取られた前記所定の文字を、前記所定の文字に対応付けて前記管理手段により管理されている前記他の文字に置き換えると決定する決定手段とを備えることを特徴とする。
【手続補正５】
【補正対象書類名】明細書
【補正対象項目名】００１０
【補正方法】変更
【補正の内容】
【００１０】
また、本発明は、所定の文字と、他の文字とを対応付けて管理する管理手段を備える情報処理装置の制御方法であって、前記情報処理装置の読取手段が、文字を記入する記入枠を備えた文書媒体をデータ化した画像データから、前記記入枠にユーザにより記入された文字を読み取る読取工程と、前記情報処理装置の判定手段が、前記読取工程で読み取られた文字が所定の文字であり、かつ、当該読み取られた前記所定の文字が前記記入枠と所定の位置で重なっているかを判定する判定工程と、前記情報処理装置の決定手段が、前記判定工程で、前記読取工程で読み取られた文字が前記所定の文字であり、かつ、当該読み取られた前記所定の文字が前記記入枠と所定の位置で重なっていると判定されたことに応じて、前記読取工程で読み取られた前記所定の文字を、前記所定の文字に対応付けて前記管理手段により管理されている前記他の文字に置き換えると決定する決定工程とを備えることを特徴とする。
【手続補正６】
【補正対象書類名】明細書
【補正対象項目名】００１１
【補正方法】変更
【補正の内容】
【００１１】
本発明は、所定の文字と、他の文字とを対応付けて管理する管理手段を備える情報処理装置で読み取り実行可能なプログラムであって、前記情報処理装置を、文字を記入する記入枠を備えた文書媒体をデータ化した画像データから、前記記入枠にユーザにより記入された文字を読み取る読取手段と、前記読取手段で読み取られた文字が所定の文字であり、かつ、当該読み取られた前記所定の文字が前記記入枠と所定の位置で重なっているかを判定する判定手段と、前記判定手段により、前記読取手段で読み取られた文字が前記所定の文字であり、かつ、当該読み取られた前記所定の文字が前記記入枠と所定の位置で重なっていると判定されたことに応じて、前記読取手段により読み取られた前記所定の文字を、前記所定の文字に対応付けて前記管理手段により管理されている前記他の文字に置き換えると決定する決定手段として機能させることを特徴とする。
【手続補正７】
【補正対象書類名】明細書
【補正対象項目名】００１２
【補正方法】変更
【補正の内容】
【００１２】
本発明によれば、ユーザにより記入された文字が記入枠に重なることに起因して発生する画像データから文字を読み取る際の文字の誤認識を、補正する精度を向上させることが可能な仕組みを提供することができる。